(57)【要約】【課題】  本発明では、通気がよく、製茶に不要なもの（切れ葉等）を製茶工場に持ち込まず、茶園で摘採時に取り除くための装置を提供することを課題とする。【解決手段】  本発明の第１の手段は、門型枠下方に摘採装置を設け、摘採装置後方に茶葉収容装置を装備し、摘採装置で摘採した茶葉を茶葉収容装置の上部に運ぶための略垂直な輸送ダクトを設け、上昇する風で茶葉を上方に移送する走行型茶葉摘採機において、茶葉収容装置の一部または全部を３〜８メッシュの網目で構成して、摘採作業時に出る細かい切れ葉等を茶葉収容装置の外へ吹き飛ばす。【選択図】図１
2005229840.tif 000002
【特許請求の範囲】
【請求項１】
門型枠下方に摘採装置を設け、摘採装置後方に茶葉収容装置を装備し、摘採装置で摘採した茶葉を茶葉収容装置の上部に運ぶための略垂直な輸送ダクトを設け、上昇する風で茶葉を上方に移送する走行型茶葉摘採機において、茶葉収容装置の一部または全部を３〜８メッシュの網目で構成して、摘採作業時に出る細かい切れ葉等を茶葉収容装置の外へ吹き飛ばすことを特徴とする走行型茶葉摘採機。
【請求項２】
茶葉収容装置をコンテナとすることを特徴とする請求項１記載の走行型茶葉摘採機。
【請求項３】
門型枠下方に摘採装置を設け、摘採装置後方に茶葉収容装置を装備し、摘採装置で摘採した茶葉を茶葉収容装置の上部に運ぶための略垂直な輸送ダクトを設け、上昇する風で茶葉を上方に移送する走行型茶葉摘採機において、茶葉収容装置の上部にフードを設け、フードの一部または全部を３〜８メッシュの網目で構成して、摘採作業時に出る細かい切れ葉等をフードの外へ吹き飛ばすことを特徴とする走行型茶葉摘採機。
【発明の詳細な説明】
【技術分野】
【０００１】
本発明は、茶畝に沿って走行しながら茶葉を摘採する走行型茶葉摘採機に関するものである。
【背景技術】
【０００２】
走行型茶葉摘採機には、摘採した茶葉をそのまま後方へ移送して、茶葉収容装置へ収容するタイプと、摘採した茶葉を一度上方へ移送してから、茶葉収容装置へ落として収容するタイプのものがある。前者の場合、茶葉収容装置は一般的に茶袋であり、後者の場合は、茶袋（例えば、特許文献１）とコンテナ（例えば、特許文献２）がある。
【０００３】
従来、コンテナを装備した走行型茶葉摘採機では、コンテナの内面を鉄板またはアルミ板などで構成されている。また、通気性をよくするために、細かい網目状のものを使用することがある（例えば、特許文献２）。
【０００４】
近年、茶の品質向上のために、製茶工場では、茶葉を蒸す前に、細かい切れ葉等を取り除き、製茶している。
【特許文献１】特願２００２−３２１４１９号
【特許文献２】特開２００１−１２８５３１号公報
【発明の開示】
【発明が解決しようとする課題】
【０００５】
細かい切れ葉等を取り除くためには、細かい切れ葉等を取り除く装置を設置しなければならず、設備費とスペースが必要になった。また、取り除いた細かい切れ葉等のゴミを処分する必要もあった。
【０００６】
従来、コンテナや茶袋の一部を細かい網目にしたものはあったが、これは通気をよくするためのものであり、茶葉の切れ葉等が網目から出るような大きさのものではなかった。また、このような細かい網目にした場合、雨や朝露に濡れた茶葉、火山灰が付着した茶葉を摘採するとき、網目に水や火山灰が詰まり、側面から風が抜けないので、茶葉を輸送する風が摘採済みの茶葉へ当たり、舞い上がってしまうという問題があった。
【０００７】
本発明では、通気がよく、製茶に不要なもの（切れ葉等）を製茶工場に持ち込まず、茶園で摘採時に取り除くための装置を提供することを課題とする。
【課題を解決するための手段】
【０００８】
本発明の第１の手段は、門型枠下方に摘採装置を設け、摘採装置後方に茶葉収容装置を装備し、摘採装置で摘採した茶葉を茶葉収容装置の上部に運ぶための略垂直な輸送ダクトを設け、上昇する風で茶葉を上方に移送する走行型茶葉摘採機において、茶葉収容装置の一部または全部を３〜８メッシュの網目で構成して、摘採作業時に出る細かい切れ葉等を茶葉収容装置の外へ吹き飛ばす。第２の手段は、第１の手段の茶葉収容装置をコンテナとする。第３の手段は、門型枠下方に摘採装置を設け、摘採装置後方に茶葉収容装置を装備し、摘採装置で摘採した茶葉を茶葉収容装置の上部に運ぶための略垂直な輸送ダクトを設け、上昇する風で茶葉を上方に移送する走行型茶葉摘採機において、茶葉収容装置の上部にフードを設け、フードの一部または全部を３〜８メッシュの網目で構成して、摘採作業時に出る細かい切れ葉等をフードの外へ吹き飛ばす。
【発明の効果】
【０００９】
本発明の装置によって、茶葉を摘採しながら、茶葉と切れ葉等を選別することができる。摘採時に、切れ葉等を取り除くことにより、製茶工場で切れ葉等を取り除く装置が不要になる。また、製茶工場で切れ葉等を取り除いた場合、取り除いた切れ葉等を処分しなければならないが、本発明は、茶園に切れ葉等を落とすので、切れ葉等は茶園の肥料となる。また、切れ葉等を取り除くことで茶製品の品質がよくなり、更に、摘採してすぐに切れ葉等を取り除くことで、茶葉の酸化を防ぐことができる。
【００１０】
また、雨や朝露に濡れた茶葉、火山灰が付着した茶葉を摘採しても、網目に水や火山灰が詰まることがなくなり、スムーズに摘採作業を行なうことができる。雨や朝露に濡れた茶葉の場合、本発明により茶葉と茶葉の表面の水を分離することで、摘採した茶葉を製茶工場で受け入れる際の露引き（付着した水の量を測り、受け入れた全体の重量から差し引いて、茶葉代金を計算する）が不要となる。更には、製茶工場受け入れ後、茶葉の表面に水が付いていると、搬送装置のベルトコンベヤや振動コンベヤに茶葉が付着するが、本発明のように摘採時に茶葉の表面の水を分離することで、搬送装置への付着を防ぐことができる。
【発明を実施するための最良の形態】
【００１１】
茶葉収容装置のコンテナを網目状にした例を実施例１、茶葉収容装置上のフードを網目状にした例を実施例２で示す。
【実施例１】
【００１２】
本実施例は、茶葉収容装置のコンテナを網目状にした例である。茶畝１を挟んで２本のクローラ型の走行装置２、３を門型枠４でつなぎ、門型枠４の下に摘採装置５を設ける。摘採装置５の後方には茶葉を収容する茶葉収容装置であるコンテナ（以下、収容コンテナとする）６が設けてある。摘採装置５と収容コンテナ６は輸送ダクト７、８でつながっており、摘採装置５は中央部で２分割され、輸送ダクト７、８の上端は収容コンテナ６に接続されている。門型枠４の上にはファン９、１０が設置してあり、フレキシブルな送風ダクト１１、１２で摘採装置５と接続されている。
【００１３】
走行装置２、３によって、茶畝１を移動しながら摘採装置５で刈り取られた茶葉を、輸送ダクト７、８を通り、収容コンテナ６に送る。摘採時には、摘採装置５で摘採するため、この茶葉の中には、製品に加工する茶葉Ａと切れ葉等Ｂが混ざっている。切れ葉等Ｂは茶葉Ａより呼吸熱が多く、傷ついていない茶葉Ａより早く、変質し、葉焼けという状態を起こし、加工することができなくなってしまう。また、切れ葉等Ｂが混ざっていると、製品の品質が低下する。その為、加工する前に切れ葉等Ｂを除去する必要があり、本実施例の装置では、茶葉（茶葉Ａ＋切れ葉等Ｂ）を収容コンテナ６へ投入するときに、収容コンテナ６の網目から茶葉Ａを通さず、切れ葉等Ｂを通して、茶葉（茶葉Ａ＋切れ葉等Ｂ）を網目で選別する。この茶葉Ａを通さず、切れ葉等Ｂを通すための網目の大きさとしては、３〜８メッシュがよい。摘採方法によっては、３〜６メッシュでもよい。図面では、収容コンテナ６の略全面が網目状になっているが、収容コンテナ６の一部、例えば、側板のみ、天井のみ、底板のみ、或いは、側板の一部のみでもよい。茶葉を移送する送風の具合により、切れ葉等Ｂを効率よく収容コンテナ６の外へ飛ばす部分のみ網目状にしてもよい。収容コンテナ６の網目を通った切れ葉等Ｂは、茶園に落ち、茶園の肥料となる。
【００１４】
収容コンテナ６に収容された茶葉Ａを、茶園の枕地でトラック１９の荷台へ載せかえる。この時、支点２２、２４を軸として、保持腕２１、２３で収容コンテナ６を上方へ持ち上げ、下扉１６を開いて、茶葉Ａを取り出す。取出終了後は、下扉１６を閉じて、収容コンテナ６を下ろし、摘採を行える状態とする。
【実施例２】
【００１５】
本実施例は、茶葉収容装置上のフードを網目状にした例であり、茶葉収容装置は収容枠３４と茶葉収容袋３３とからなるものである。走行、摘採に関する構成は、実施例１と同様である。輸送ダクト７、８の上端は下面が開放された網目状のフード３１、３２となっており、収容枠３４の上部に設置する。収容枠３４には複数の茶葉収容袋３３を上面を開放して装着している。
【００１６】
輸送ダクト７、８によって、移送された茶葉（茶葉Ａ＋切れ葉等Ｂ）を茶葉収容袋３３へ投入するときに、フード３１、３２の網目から茶葉Ａを通さず、切れ葉等Ｂを通して、茶葉（茶葉Ａ＋切れ葉等Ｂ）を網目で選別する。この茶葉Ａを通さず、切れ葉等Ｂを通すための網目の大きさとしては、３〜８メッシュがよい。摘採方法によっては、３〜６メッシュでもよい。図面では、フード３３の略全面が網目状になっているが、フード３３の一部、例えば、側板のみ、天井のみ、或いは、側板の一部のみでもよい。茶葉を移送する送風の具合により、切れ葉等Ｂを効率よくフード３３の外へ飛ばす部分のみ網目状にしてもよい。フード３３の網目を通った切れ葉等Ｂは、茶園に落ち、茶園の肥料となる。
【００１７】
茶葉Ａをトラックへ載せかえるときは、茶葉収容袋３３を収容枠３４から取り外して、茶葉収容袋３３ごとトラックへ載せる。
【００１８】
実施例１では茶葉収容装置をコンテナとしたが、実施例２のような収容枠に茶葉収容袋を装着したものでもよく、茶葉収容袋の一部または全部を３〜８メッシュの網目状にしてもよい。また、実施例２のようにフードを網目状にして、茶葉収容装置を実施例１のようなコンテナにしてもよい。また、実施例１、２共に、摘採する茶葉が雨や朝露に濡れた茶葉の場合は、切れ葉等Ｂの他に水を分離し、火山灰が付着した茶葉の場合は、切れ葉等Ｂの他に火山灰を分離することができる。
【図面の簡単な説明】
【００１９】
【図１】実施例１の正面図。
【図２】実施例１の側面図。
【図３】実施例１の後面図。
【図４】実施例１の茶葉の流れを示した一部断面図。
【図５】実施例１の茶葉取出時の側面図。
【図６】実施例２の側面図。
【符号の説明】
【００２０】
１    茶畝
２    走行装置
３    走行装置
４    門型枠
５    摘採装置
６    コンテナ
７    輸送ダクト
８    輸送ダクト
９    送風ファン
１０    送風ファン
１１    送風ダクト
１２    送風ダクト
１６    下扉
１７    駆動手段
１８    ハンドル
１９    トラック
２１    保持腕
２２    支点
２３    保持腕
２４    支点
３１    フード
３２    フード
３３    茶葉収容袋
３４    収容枠
Ａ    茶葉
Ｂ    切れ葉等 
【図１】
2005229840.tif 000003
【図２】
2005229840.tif 000004
【図３】
2005229840.tif 000005
【図４】
2005229840.tif 000006
【図５】
2005229840.tif 000007
【図６】
2005229840.tif 000008